【事件の表示】
　特願２００３−　３１０５３「遊技機」拒絶査定不服審判事件〔平成１５年　７月１５日出願公開、特開２００３−１９９８７４〕について、次のとおり審決する。
【結　論】
　本件審判の請求は、成り立たない。
【理　由】
１．手続の経緯
　本願は、平成８年６月１８日に特許出願した特願平８−１５６６７８号の一部を平成１５年２月７日に新たな特許出願としたものであって、平成１６年９月１５日付けで拒絶査定がなされ、これに対し、平成１６年１０月２７日に拒絶査定に対する審判請求がなされるとともに、同年１１月２６日付けで手続補正がなされたものである。
　　　　　　　　　　　　　　　　　　　　　　　　　　　　　　　　　
２．平成１６年１１月２６日付けの手続補正（以下、「本件補正」という。）について
　　　　　　　　　　　　　　　　　　　　　　　　　　　　　　　　　
［補正却下の決定の結論］　
　平成１６年１１月２６日付けの手続補正を却下する。
　　　　　　　　　　　　　　　　　　　　　　　　　　　　　　　　　
［理由］
　本件補正により、特許請求の範囲の請求項１は、
「複数行複数列にシンボルの表示窓を配列し、複数種類のシンボルを配列したシンボル列を前記表示窓の背後でそれぞれ移動表示し、シンボル列の移動表示が停止したときに各表示窓に現れているシンボルを予め設定された位置ごとに組み合わせて入賞の有無及び種類が決められる遊技機において、
　前記シンボル列の各々に配列されたシンボルのうちで配列個数が多い所定の第一シンボルが前記表示窓の全てに揃って現れたか否かを判定する手段と、
　前記第一シンボルが該表示窓の全てに揃って現れたとき、特別入賞として各々の表示窓の背後でシンボル列を再度移動表示させる手段と、
　前記シンボル列が再度移動表示されたとき、前記第一シンボルよりも配列個数の少ない第二シンボルが前記表示窓の全てに揃って現れるようにシンボル列を停止制御する手段と、
　前記第二シンボルが前記表示窓の全てに揃って停止したとき、大当たり入賞を発生させる手段と、
　を備えたことを特徴とする遊技機。」と補正された。
　　　　　　　　　　　　　　　　　　　　　　　　　　　　　　　　　
　上記補正は、請求項１に記載した発明を特定するために必要な事項である「第一シンボルが前記表示窓の全てに揃って現れたとき」について、「第一シンボルが前記表示窓の全てに揃って現れた
か否かを判定する手段と、前記第一シンボルが該表示窓の全てに揃って現れたとき、
る手段と、
前記シンボル列が再度移動表示されたとき、
揃って
を
する手段と、
前記
、
を発生させる手段と、
を備えた
　そこで、本件補正後の前記請求項１に記載された発明（以下、「本願補正発明」という。）が特許出願の際独立して特許を受けることができるものであるか（平成１８年改正前の特許法第１７条の２第５項において準用する同法第１２６条第５項の規定に適合するか）について以下に検討する。
　　　　　　　　　　　　　　　　　　　　　　　　　　　　　　　　　
（１）引用発明
引用刊行物
　(i ) 特開平７−３１３６６１号公報　　　　　　　　　　　　　　　　
　(ii) 特開昭６３−３０２８７８号公報
　原査定の拒絶の理由に引用された、本願の出願前に頒布された刊行物である上記の各刊行物には、それぞれ次の発明が記載されている。
　　　　　　　　　　　　　　　　　　　　　　　　　　　　　　　　　
(i) 特開平７−３１３６６１号公報
　特開平７−３１３６６１号公報（以下、「引用例１」という。）には以下の記載がある。
(i)-a「ラスタビーム走査によりディスプレイ上に形成された複数の疑似リールを疑似周回転させると共に、それらの疑似リールを乱数値に応じて個別に停止させるビデオスロットマシンにおいて、
　複数の疑似リールから成る主リール及び少なくとも１個の疑似リールから成る副リールを設け、疑似周回転後に停止した主リール内の各疑似リールのキャラクタ像が所定のボーナスパターンに揃ったとき、副リールを疑似周回転することを特徴とするビデオスロットマシン。」（特許請求の範囲の請求項１）
(i)-b「【作用】
　例えば、主リール内において３×３＝９個のマトリクス状に配列された疑似リールの疑似周回転、すなわちスクロール回転が停止したとき、特定の入賞ライン上に特定のキャラクタ像が揃うと、当たり状態と判定され、適宜枚数のコインがプレイヤに払い出される。上記の当たり状態とは別に、主リール内のキャラクタ像が特定のボーナスパターンに揃うと、副リールが疑似周回転、すなわちスクロール回転を開始する。そして、この副リールのスクロール回転によってゲームが続行される。・・・」（段落【００１０】）   
(i)-c「主リール２１は、例えば３×３＝９個のマトリクス状に配列された疑似リール６ａ〜６ｉによって構成される。副リール２２は、２個の疑似リール２３ａ及び２３ｂによって構成される。・・・」（段落【００１２】）
(i)-d「本実施例では、主リール２１内の個々の疑似リール６ａ〜６ｉは、リンゴ、葡萄、バナナ等といったフルーツを統一概念とするキャラクタ像と、「３」とか「７」とかいった数字を表すキャラクタ像とから成る一群のキャラクタ像を順々にスクロール表示する。また、副リール２２内の個々の疑似リール２３ａ，２３ｂは、それぞれ、０〜９までの数字を順々にスクロール表示する。」（段落【００１３】図４）
(i)-e「以下、上記構成より成るビデオスロットマシンの動作を、図３に示すフローチャートを参照しつつ説明する。
・・・スタートボタン１８が押されると（ステップ５２）、・・・主リール２１内の全ての疑似リール６ａ〜６ｉが疑似周回転、すなわち疑似スクロール回転を開始する（ステップ５３）。この疑似スクロール回転により、・・・リンゴ、葡萄、バナナ等といったフルーツを表すキャラクタ像及び「３」，「７」等の数字を表すキャラクタ像が各疑似リール内で次々に上辺から現れて、次々に下辺から消えてゆく。
　その後、プレイヤによって停止ボタン５が押されたとき、あるいは所定の一定時間が経過したときに自動的に各疑似リール６ａ〜６ｉのスクロール、すなわち疑似周回転が次々に停止し始める（ステップ５４）。このとき個々の疑似リールは、ＲＯＭ１２内の乱数発生部から出力される乱数値に基づいた乱数値制御に従ったそれぞれ独自のタイミングでバラバラに停止し、そして各疑似リール内にどのキャラクタ像が停止したかはＲＡＭ１３に記憶される。」（段落【００１８】−【００２０】）
(i)-f「ＣＰＵ１０（図２）は、９個の疑似リール６ａ〜６ｉのうちの２／３、すなわち６個のスクロール回転が停止したか否かをチェックし（ステップ５５）、６個が停止したと判定したときには、その停止した各疑似リール内のキャラクタ像が、ボーナスパターンとしての「ＡＬＬ　ＦＲＵＩＴＳ」の構成要素としての条件を満たしているかどうかをチェックする（ステップ５６）。
　「ＡＬＬ　ＦＲＵＩＴＳ」というのは、主リール２１を構成する全ての疑似リール６ａ〜６ｉが全てフルーツを表すキャラクタ像で揃った場合の状態を意味している。・・・
　ステップ５６において、停止した６個の疑似リールが全てフルーツのキャラクタ像を表しているときには、将来、全ての疑似リールが停止したときに「ＡＬＬ　ＦＲＵＩＴＳ」が完成するであろうことを予告するボーナス予告表示、すなわち「ＡＬＬ　ＦＲＵＩＴＳ」表示を行う（ステップ５７）。具体的には、・・・フルーツのキャラクタ像で停止した６個の疑似リール６ｃ，６ｄ，６ｆ，６ｇ，６ｈ，そして６ｉの画面内に「ＡＬＬ　ＦＲＵＩＴＳ」の文字を表示する。このとき、未だ停止していない３個の疑似リール６ａ，６ｂ，そして６ｅは、スクロールを継続する。・・・
・・・その後、全ての疑似リールが停止したか否かをチェックし（ステップ５８）、全てが停止したと判断されたときには、判定処理を実行する（ステップ５９）。」（段落【００２１】−【００２４】）
(i)-g「この判定処理では、ノーマル状態での当たり状態が生じたか否か及び「ＡＬＬ　ＦＲＵＩＴＳ」が完成したか否かが判定される。ノーマル状態での当たり状態というのは、例えば入賞ライン選択ボタン１７を操作することによって予め選択された入賞ライン上に所定のキャラクタ像が揃う状態のことである。・・・
　ステップ５９の判定処理において、「ＡＬＬ　ＦＲＵＩＴＳ」が完成したと判定されたときには、・・・疑似リール６ａ〜６ｉの全てにフルーツのキャラクタ像が停止し、そして全ての疑似リール内に「ＡＬＬ　ＦＲＵＩＴＳ」の文字表示が映し出される。このときには、図３において、ステップ６０を経由してボーナスフローが実行される。このボーナスというのは、「ＡＬＬ　ＦＲＵＩＴＳ」が完成したことに対してプレイヤに与えられる褒賞ということである。
　このボーナスフローでは、副リール２２内の疑似リール２３ａ，２３ｂが疑似周回転、すなわちスクロール回転を始め（ステップ６４）、そして所定時間後にそのスクロールが停止する（ステップ６５）。スクロールが停止した後、各疑似リール２３ａ，２３ｂに表示されている数値がいくつであるかを判定し（ステップ６６）、その判定した値をコインの払い出し枚数として決定し（ステップ６７）、そしてプレイヤに対して払い出す（ステップ６２）。」（段落【００２５】−【００２７】）
(i)-h「ボーナスパターンの形態も、上記の実施例のような「ＡＬＬ　ＦＲＵＩＴＳ」の状態、すなわち全ての疑似リール６ａ〜６ｉにフルーツのキャラクタ像が停止する状態に限られず、種々の形態をボーナスパターンとして設定できる。例えば、発生する確率が高くなってしまってボーナスとしての価値が低下するかもしれないが、真ん中の疑似リール６ｅに特定のキャラクタ像が停止したときをもって、ボーナスパターンが完成したものと判定することも可能である。」（段落【００３１】）
　　　　　　　　　　　　　　　　　　　　　　　　　　　　　　　　　
　上記の記載によれば、引用例１（特開平７−３１３６６１号公報）には、以下の発明（以下、「引用発明１」という）が記載されていると認められる。
「ディスプレイ上に形成された複数の疑似リールを疑似周回転させると共に、それらの疑似リールを乱数値に応じて個別に停止させ、疑似周回転後に停止した主リール内の各疑似リールのキャラクタ像が所定のボーナスパターンに揃ったとき、複数の疑似リールから成る副リールを疑似周回転するビデオスロットマシンであって、主リール２１は、例えば３×３＝９個のマトリクス状に配列された疑似リール６ａ〜６ｉによって構成され、副リール２２は、２個の疑似リール２３ａ及び２３ｂによって構成されており、主リール２１内の個々の疑似リール６ａ〜６ｉは、リンゴ、葡萄、バナナ等といったフルーツを統一概念とするキャラクタ像と、「３」とか「７」といった数字を表すキャラクタ像とから成る一群のキャラクタ像よりなり、また、副リール２２内の個々の疑似リール２３ａ，２３ｂは、それぞれ、０〜９までの数字よりなり、主リール内における疑似リールの疑似周回転、すなわちスクロール回転が停止したとき、特定の入賞ライン上に特定のキャラクタ像が揃うと、当たり状態と判定され、副リールが疑似周回転、すなわちスクロール回転を開始して、この副リールのスクロール回転によってゲームが続行されるよう構成されており、上記構成より成るビデオスロットマシンの動作は、スタートボタン１８が押されると、主リール２１内の全ての疑似リール６ａ〜６ｉがスクロール回転を開始し、その後、プレイヤによって停止ボタン５が押されたとき、あるいは所定の一定時間が経過したときに自動的に各疑似リール６ａ〜６ｉのスクロールが次々に停止し始め、個々の疑似リールは、ＲＯＭ１２内の乱数発生部から出力される乱数値に基づいた乱数値制御に従ったそれぞれ独自のタイミングでバラバラに停止し、ＣＰＵ１０は、全ての疑似リールが停止したか否かをチェックし、全てが停止したと判断されたときには、判定処理を実行して、ノーマル状態での当たり状態が生じたか否か、及び「ＡＬＬ　ＦＲＵＩＴＳ」が完成したか否かを判定するもので、ノーマル状態での当たり状態は、入賞ライン選択ボタン１７を操作することによって予め選択された入賞ライン上に所定のキャラクタ像が揃う状態のことであり、「ＡＬＬ　ＦＲＵＩＴＳ」が完成したと判定されたときには、疑似リール６ａ〜６ｉの全てにフルーツのキャラクタ像が停止し、全ての疑似リール内に「ＡＬＬ　ＦＲＵＩＴＳ」の文字表示が映し出されてボーナスフローを実行し、副リール２２内の疑似リール２３ａ，２３ｂがスクロール回転を始めて所定時間後に停止し、各疑似リール２３ａ，２３ｂに表示されている数値をコインの払い出し枚数として決定してプレイヤに対して払い出す、ビデオスロットマシン。」
　　　　　　　　　　　　　　　　　　　　　　　　　　　　　　　　　
(ii) 特開昭６３−３０２８７８号公報
　特開昭６３−３０２８７８号公報（以下、「引用例２」という。）には以下の記載がある。　　　　　　　　　　　　　　　　　　　　　　　　　　(ii)-a「（１）周面に複数個の絵柄を有する複数個のリールをハンドル操作で始動させた後、全リールが停止したときに、停止ライン上に並ぶ絵柄の組み合わせに応じてゲームの勝負を決定するスロットマシンにおいて、前記停止ライン上に特定絵柄が停止したことを検出するための特定絵柄検出手段と、この特定絵柄検出手段の検出動作で全リールまたは所定のリールを自動的に始動させて特別ゲームへ移行させる特別ゲーム移行手段とを具備して成るスロットマシン。　　　　　　　　　　　　　　　　　　　　　　　　　　
・・・
　　 （３）各リールは、所定時間経過後に自動停止する構成である特許請求の範囲第１項記載のスロットマシン。
　　 （４）特定絵柄検出手段は、停止ライン上に各リールの特定絵柄が停止して、所定の絵柄の組み合わせが成立したことを検出する手段である特許請求の範囲第１項記載のスロットマシン。　　　　　　　　　　　　　　　
・・・
　　 （６）特定絵柄検出手段および特別ゲーム移行手段は、マイクロコンピュータのＣＰＵを制御主体とする特許請求の範囲第１項記載のスロットマシン。」（特許請求の範囲の請求項１、３、４、６）
(ii)-b「〈作用〉
　遊技者のハンドル操作で全リールが始動した後に、これらリールが停止したとき、特定絵柄検出手段は停止ライン上に特定絵柄が停止したか否かを検出する。もし停止ライン上に特定絵柄の停止が検出されると、特別ゲーム移行手段は全リールまたは所定のリールを自動的に始動させて特別ゲームへ移行させる。」（第２頁左下欄第５−１１行）
(ii)-c「第６図は、この発明の他の実施例を示す。この第２実施例は、・・・タイマによる自動停止方式・・・である。この第２実施例の回路構成は、・・・ＣＰＵを制御主体とし、メモリとしてのＲＯＭやＲＡＭを含むと共に、インターフェイスを介して入出力各部が電気接続されるものである。第７図は、第２実施例において入賞となる絵柄配列を示している。このうち第７図（１）は特別ゲームの権利が与えられる特定絵柄８による配列（以下、「特別当り」という）を示し、第７図（２）〜第７図（６）はそれ以外の絵柄による配列（以下、「第１当り」〜「第５当り」という）を示している。」（第５頁左上欄第４行−右上欄第６行、第７図）
(ii)-d「第８図は、第２実施例にかかるスロットマシンの動作手順を示しており、・・・遊技者が・・・始動ハンドル６を操作すると、・・・全リール１ａ，１ｂ，１ｃが一斉始動する。これにより通常のゲームが開始され、ＣＰＵが有するタイマがタイムアツプしたとき、各リール１ａ，１ｂ，１ｃは同時または順次自動停止する（ステップ４）。その結果、停止ラインＬ上に入賞の絵柄配列が形成されると、・・・その入賞絵柄の配列が第７図（１）に示す特定絵柄８にかかるものであるかどうかを判断する。もし特定絵柄８の配列でないと判断した場合は、・・・その当りの内容に応じた所定配当のコインが払い出された後（ステップ７）、ステップ２へ戻ってつぎの通常ゲームに待機する。これに対し第７図（１）の絵柄配列が成立すると、・・・特別ゲームへ移行することになる。この実施例における特別ゲームは、５回連続して実行されるもので、これら特別ゲームで入賞となる全ての種類の絵柄配列を自動的に生成して、多数のコインを放出するよう構成してある。この特別ゲームでは、全リール１ａ，１ｂ，１ｃを自動的に一斉始動させた後、一定時間経過後に全リール１ａ，１ｂ，１ｃを自動的に一斉停止させて、まず停止ラインＬ上に第１当り（第７図（２）に示す）を成立させ、・・・引き続きステップ１１で全リール１ａ，１ｂ，１ｃを自動的に一斉始動させた後、一定時間経過後に全リールｌａ、ｌｂ、ｌｃを自動的に一斉停止させて、停止ラインＬ上に第２当り（第７図（３）に示す）を成立させ、・・・同様にしてステップ１３，１４では第３当り（第７図（４）に示す）を、ステップ１５，１６では第４当り（第７図（５）に示す）を、ステップ１７，１８では第５当り（第７図（６）に示す）を、それぞれ成立させて・・・最後のステップ１９で特別当りにかかる絵柄配列（第７図（１）に示す）に戻して特別ゲームを終了させ、ステップ２に戻って通常ゲームの待機する。」（第５頁右上欄第７行−右下欄第１８行、第８図）
　　　　　　　　　　　　　　　　　　　　　　　　　　　　　　　　　
　上記の記載によれば、引用例２（特開昭６３−３０２８７８号公報）には、以下の発明（以下、「引用発明２」という）が記載されていると認められる。
「周面に複数個の絵柄を有する複数個のリールをハンドル操作で始動させた後、所定時間経過後に自動停止させ、全リールが停止したときに、停止ライン上に並ぶ絵柄の組み合わせに応じてゲームの勝負を決定するスロットマシンであって、マイクロコンピュータのＣＰＵを制御主体とし、メモリとしてのＲＯＭやＲＡＭを含むとともに、前記停止ライン上に特定絵柄が停止して、所定の絵柄の組み合わせが成立したことを検出するための特定絵柄検出手段と、この特定絵柄検出手段の検出動作で全リールを自動的に始動させて特別ゲームへ移行させる特別ゲーム移行手段とを具備して成り、スロットマシンの動作手順は、遊技者が始動ハンドル６を操作すると、全リール１ａ，１ｂ，１ｃが一斉始動して通常のゲームが開始され、ＣＰＵが有するタイマがタイムアツプしたとき、各リール１ａ，１ｂ，１ｃは同時または順次自動停止し、その結果、停止ラインＬ上に入賞の絵柄配列が形成されると、その入賞絵柄の配列が特定絵柄８（第７図（１））にかかるものであるかどうかを判断し、もし特定絵柄８の配列でないと判断した場合は、その当りの内容に応じた所定配当のコインが払い出された後、つぎの通常ゲームに待機し、これに対し特定絵柄８（第７図（１））の絵柄配列が成立すると、５回連続して実行される特別ゲームへ移行することになり、これら特別ゲームで入賞となる全ての種類の絵柄配列を自動的に生成して、多数のコインを放出するよう構成してあり、この特別ゲームでは、全リール１ａ，１ｂ，１ｃを自動的に一斉始動させた後、一定時間経過後に全リール１ａ，１ｂ，１ｃを自動的に一斉停止させて、まず停止ラインＬ上に第１当り（第７図（２）に示す）を成立させ、引き続き全リール１ａ，１ｂ，１ｃを自動的に一斉始動させた後、一定時間経過後に全リールｌａ、ｌｂ、ｌｃを自動的に一斉停止させて、停止ラインＬ上に第２当り（第７図（３）に示す）を成立させ、同様にして、第３当り（第７図（４）に示す）、第４当り（第７図（５）に示す）、第５当り（第７図（６）に示す）を、それぞれ成立させて、最後に特別当りにかかる絵柄配列（第７図（１）に示す）に戻して特別ゲームを終了させ、通常ゲームの待機をする、スロットマシン。」
　　　　　　　　　　　　　　　　　　　　　　　　　　　　　　　　　
（２）対比 　 　 
　本願補正発明と引用発明１とを対比すると、引用発明１における「マトリクス状（に配列）」は本願補正発明における「複数行複数列（に配列）」に、同じく「キャラクタ」は「シンボル」に、それぞれ対応しており、さらに引用発明１について次のことがいえる。
　　　　　　　　　　　　　　　　　　　　　　　　　　　　　　　　　
(i) 引用発明１において、「マトリクス状に配列された疑似リール６ａ〜６ｉ」（摘示1-c）は、「リンゴ、葡萄、バナナ等」の「フルーツ」や、「「３」、「７」等」の「数字」を表す「一群のキャラクタ像よりな」（摘示1-d）り、引用例１の図４を参照すると、「疑似リール６ａ〜６ｉ」における上記した複数種類の「キャラクタ像」は、それぞれの「列」において「スクロール回転」することで、これらの「キャラクタ像」が表すそれぞれの「キャラクタ」が移動表示することが見てとれる。
　そして、引用発明１における上記「疑似リール６ａ〜６ｉ」を、「キャラクタ」（本願補正発明における「シンボル」に対応する。）を表示する「表示部」と表現することができ、同引用発明１は、前記「表示部」において複数種類の「キャラクタ（シンボル）」の「列」をそれぞれ移動表示するものであるということができる。
　すなわち、引用発明１は、「マトリクス状（複数行複数列）にキャラクタ（シンボル）の表示部を配列し、複数種類のキャラクタ（シンボル）を配列したキャラクタ（シンボル）の列を前記表示部においてそれぞれ移動表示」するものであるということができる。
　以上のとおり、引用発明１において、「疑似リール６ａ〜６ｉ」を構成する「キャラクタ像」は、「キャラクタ」を画像として表示することで、それぞれの「キャラクタ像」が意味する「キャラクタ」そのものをも表示しているといえるから、以下においては、特に「キャラクタ像」として特記すべき場合を除いて、「キャラクタ像により表示されるキャラクタ」を単に「キャラクタ」という。
　一方、本願補正発明は、「複数行複数列にシンボルの表示窓を配列し、複数種類のシンボルを配列したシンボル列を前記表示窓の背後でそれぞれ移動表示」するものであり、「（シンボルの）表示窓」を「（シンボルの）表示部」と、「（シンボル列を）表示窓の背後で（移動表示）」することを、「（シンボル列を）表示部において（移動表示）」すると、それぞれ包括的に表現することができる。
　そうすると、本願補正発明と引用発明１とは、「複数行複数列にシンボルの表示部を配列し、複数種類のシンボルを配列したシンボル列を前記表示部においてそれぞれ移動表示」するものである点で共通しているといえる。
　　　　　　　　　　　　　　　　　　　　　　　　　　　　　　　　　
(ii) 上記(i)に記載したように、引用発明１は、「表示部」である「疑似リール６ａ〜６ｉ」において「キャラクタ（シンボル）列の移動表示」を行うものであるということができる。
　そして同引用発明１において、「表示部」である「個々の疑似リール」において「キャラクタ（シンボル）列の移動表示」が「停止」すると、「ＣＰＵ１０」は「判定処理を実行して、ノーマル状態での当たり状態が生じたか否か」を「判定する」ものであり、「ノーマル状態での当たり状態」とは、「予め選択された入賞ライン上に所定のキャラクタ像が揃う状態のこと」（摘示1-e、1-g)であり、「予め選択された入賞ライン」は、その技術的意義に照らすと、本願補正発明における「予め設定された位置」に対応するものといえるとともに、「キャラクタ像」は複数種類存在することから、「キャラクタ像が揃う状態」も複数存在するものであり、上記した「判定」により、入賞の有無及び種類が決められるものといえる。
　すなわち引用発明１は、「キャラクタ（シンボル）列の移動表示」が「停止」したときに、各「疑似リール」（「表示部」）に現れている「キャラクタ（シンボル）」を、「予め選択された入賞ライン」（「予め設定された位置」）ごとに組み合わせて入賞の有無及び種類が決められる「ビデオスロットマシン」であり、「ビデオスロットマシン」は「遊技機」に包含されるものである。
　一方、本願補正発明は、「シンボル列の移動表示が停止したときに各表示窓に現れているシンボルを予め設定された位置ごとに組み合わせて入賞の有無及び種類が決められる遊技機」であり、「シンボル列の移動表示が停止したときに各表示部に現れているシンボルを予め設定された位置ごとに組み合わせて入賞の有無及び種類が決められる遊技機」と包括的に表現することができる。
　そうすると、本願補正発明と引用発明１とは、「シンボル列の移動表示が停止したときに各表示部に現れているシンボルを予め設定された位置ごとに組み合わせて入賞の有無及び種類が決められる遊技機」である点で共通しているといえる。
　　　　　　　　　　　　　　　　　　　　　　　　　　　　　　　　　
(iii) 上記(i)に記載したように、引用発明１は、「表示部」である「疑似リール６ａ〜６ｉ」において「キャラクタ（シンボル）列の移動表示」を行うものであり、「キャラクタ（シンボル）列」の各々には「キャラクタ（シンボル）」が配列されているということができる。
　そして同引用発明１において、「キャラクタ（シンボル）列の移動表示」が「停止」すると、「ＣＰＵ１０」は「判定処理を実行」して、「表示部」である「疑似リール６ａ〜６ｉの全てにフルーツのキャラクタ像が停止」して、「ＡＬＬ　ＦＲＵＩＴＳ」が完成したか否かを判定する」（摘示1-g）ものであり、当該「フルーツのキャラクタ像」が表す「キャラクタ（シンボル）」を「予め定めたシンボル」と表現することができる。
　すなわち、引用発明１は、「キャラクタ（シンボル）列の各々に配列されたキャラクタ（シンボル）のうちで予め定めたシンボルが表示部の全てに揃って現れたか否かを判定する手段」を備えているということができる。
　一方、本願補正発明は、「前記シンボル列の各々に配列されたシンボルのうちで配列個数が多い所定の第一シンボルが前記表示窓（上記(i)に記載したように、「表示部」と包括的に表現することができる）の全てに揃って現れたか否かを判定する手段」を備えており、「配列個数が多い所定の第一シンボル」を「予め定めたシンボル」と包括的に表現することができる。
　そうすると、本願補正発明と引用発明１とは、「前記シンボル列の各々に配列されたシンボルのうちで予め定めたシンボルが前記表示部の全てに揃って現れたか否かを判定する手段」を備えている点で共通しているといえる。　　　　　　　　　　　　　　　　　　　　　　　　　　　　　　　　　
(iv) 上記(iii)に記載したように、引用発明１は、「キャラクタ（シンボル）列の各々に配列されたキャラクタ（シンボル）のうちで予め定めたシンボルが表示部の全てに揃って現れたか否かを判定する手段」を備えているといえる。
　引用発明１において、「予め定めたシンボルが表示部の全てに揃って現れた」ときとは、「ボーナスパターンに揃った」（摘示1-a）ときであり、その技術的意義に照らすと、本願補正発明における「特別入賞」となったときに対応する状態であるということができる。
　そして引用発明１は、「ボーナスパターンに揃っ」て、本願補正発明における「特別入賞」に対応する状態になると、「副リール２２内の疑似リール２３ａ，２３ｂがスクロール回転を始めて所定時間後に停止し、各疑似リール２３ａ，２３ｂに表示されている数値をコインの払い出し枚数として決定してプレイヤに対して払い出す」（摘示1-a）ものであり、同引用発明１は、上記の各処理を行うために、「副リール２２内の疑似リール２３ａ，２３ｂ」の「スクロール回転」を行う手段と、「（疑似リール２３ａ，２３ｂのスクロール回転を）所定時間後に停止」する手段と、「各疑似リール２３ａ，２３ｂに表示されている数値をコインの払い出し枚数として決定してプレイヤに対して払い出す」手段とを実質的に備えていることが明らかであり、引用発明１が備える上記した各手段を、「移動表示させる手段」、「移動表示を停止させる手段」、「停止表示態様に応じて遊技者にとって有利な状況を生起させる手段」と、それぞれ表現することができる。
　すなわち、引用発明１は、「予め定めたシンボルが表示部の全てに揃って現れたとき、特別入賞として移動表示させる手段と、移動表示を停止させる手段と、停止表示態様に応じて遊技者にとって有利な状況を生起させる手段と、を備え」ていると表現することができる。
　一方、本願補正発明は、「前記第一シンボルが該表示窓の全てに揃って現れたとき、特別入賞として各々の表示窓の背後でシンボル列を再度移動表示させる手段と、前記シンボル列が再度移動表示されたとき、前記第一シンボルよりも配列個数の少ない第二シンボルが前記表示窓の全てに揃って現れるようにシンボル列を停止制御する手段と、前記第二シンボルが前記表示窓の全てに揃って停止したとき、大当たり入賞を発生させる手段とを備え」ており、「前記第一シンボルが該表示窓の全てに揃って現れたとき、特別入賞として各々の表示窓の背後でシンボル列を再度移動表示させる手段」を「前記予め定めたシンボルが該表示部の全てに揃って現れたとき、特別入賞として移動表示させる手段」と包括的に表現することができ、また、「前記シンボル列が再度移動表示されたとき、前記第一シンボルよりも配列個数の少ない第二シンボルが前記表示窓の全てに揃って現れるようにシンボル列を停止制御する手段」を「移動表示を停止させる手段」と包括的に表現することができ、さらに、「前記第二シンボルが前記表示窓の全てに揃って停止したとき、大当たり入賞を発生させる手段」を「停止表示態様に応じて遊技者にとって有利な状況を生起させる手段」と包括的に表現することができる。
　そうすると、本願補正発明と引用発明１とは、「前記予め定めたシンボルが該表示部の全てに揃って現れたとき、特別入賞として移動表示させる手段と、移動表示を停止させる手段と、停止表示態様に応じて遊技者にとって有利な状況を生起させる手段と、を備え」ている点で共通しているといえる。　　　　　　　　　　　　　　　　　　　　　　　　　　　　　　　　　
　以上の事項より、本願補正発明と引用発明１とは以下の点で一致し、また、相違していると認められる。
一致点；
　複数行複数列にシンボルの表示部を配列し、複数種類のシンボルを配列したシンボル列を前記表示部においてそれぞれ移動表示し、シンボル列の移動表示が停止したときに各表示部に現れているシンボルを予め設定された位置ごとに組み合わせて入賞の有無及び種類が決められる遊技機において、前記シンボル列の各々に配列されたシンボルのうちで予め定めたシンボルが前記表示部の全てに揃って現れたか否かを判定する手段と、前記予め定めたシンボルが該表示部の全てに揃って現れたとき、特別入賞として移動表示を行う手段と、移動表示を停止する手段と、停止表示態様に応じて遊技者にとって有利な状況を生起させる手段と、を備えた遊技機、である点。
　　　　　　　　　　　　　　　　　　　　　　　　　　　　　　　　　
相違点；                             
(A) 本願補正発明では、表示部がシンボルの表示窓であり、シンボル列を前記表示窓の背後でそれぞれ移動表示するものであるのに対して、引用発明１では、表示部が疑似リールであり、疑似リールをスクロール回転することでキャラクタ（シンボル）列をそれぞれ移動表示するものである点。
　　　　　　　　　　　　　　　　　　　　　　　　　　　　　　　　　
(B) 予め定めたシンボルが、本願補正発明では、シンボルのうちで配列個数が多い所定の第一シンボルであるのに対して、引用発明１では、全てがフルーツのキャラクタである「ＡＬＬ　ＦＲＵＩＴＳ」である点。
　　　　　　　　　　　　　　　　　　　　　　　　　　　　　　　　　
(C)特別入賞に対応した各処理を行うための手段に関して、
　 (C-1) 特別入賞として移動表示を行う手段が、本願補正発明では、各々の表示窓の背後でシンボル列を再度移動表示させる手段であるのに対して、引用発明１では、副リール内の疑似リールのスクロール回転を行う手段であり、
　 (C-2) 移動表示を停止させる手段が、本願補正発明では、前記シンボル列が再度移動表示されたとき、前記第一シンボルよりも配列個数の少ない第二シンボルが前記表示窓の全てに揃って現れるようにシンボル列を停止制御する手段であるのに対して、引用発明１では、副リール内の疑似リールを所定時間後に停止させる手段であり、停止させる際に停止制御を行うものであるかは明らかでなく、
　 (C-3) 停止表示態様に応じて遊技者にとって有利な状況を生起させる手段が、本願補正発明では、前記第二シンボルが前記表示窓の全てに揃って停止したとき、大当たり入賞を発生させる手段であるのに対して、引用発明１では、副リール内の疑似リールに表示されている数値をコインの払い出し枚数として決定してプレイヤに対して払い出す手段である点。
　　　　　　　　　　　　　　　　　　　　　　　　　　　　　　　　　
（３）判断
　上記の相違点について検討する。
　相違点(A)について
　複数行複数列にシンボルの表示窓を配列して表示部を構成し、複数種類のシンボルを配列したシンボル列を前記表示窓の背後でそれぞれ移動表示することは、下記に例示（周知例１ないし３）するように遊技機において周知慣用の技術手段であり、上記した周知慣用の技術手段を参酌し、引用発明１において、表示部である「疑似リール」を表示窓に変更するとともに、「疑似リール」を構成する「キャラクタ像」を、表示窓の背後で移動表示可能な、複数種類のキャラクタ（シンボル）を配列したキャラクタ（シンボル）列に変更して、相違点(A)に係る構成を得ることは、単なる設計の変更にすぎない。
　　　　　　　　　　　　　　　　　　　　　　　　　　　　　　　　　
　相違点(B)について
　引用発明１において、「疑似リール」に表示される「キャラクタ」は、「リンゴ、葡萄、バナナ等」の「フルーツ」と、「「３」、「７」等」の「数字」よりなるものである。
　ここで、引用発明１において、「ボーナスパターン」が成立して「ＡＬＬ　ＦＲＵＩＴＳ」の「キャラクタ」が表示部の全てに揃って現れたときとは、上記した個々の「フルーツ」の「キャラクタ」のいずれかが表示部に現れたときであり、「ＡＬＬ　ＦＲＵＩＴＳ」に係る「キャラクタ」の配列個数は、少なくとも単一種類の「フルーツ」に係る「キャラクタ」の配列個数に比して多いことが明らかであり、さらに、「数字を表すキャラクタ」を含む全ての「キャラクタ」の中でも、該「ＡＬＬ　ＦＲＵＩＴＳ」に係る「キャラクタ」の配列個数は、他の単一種類の「キャラクタ」の配列個数に比して多いことがうかがわれるから、引用例１は、表示部の全てに現れる「キャラクタ」として、配列個数が多い「キャラクタ」を用いることを示唆するものである。
　そうすると、引用発明１において、表示部の全てに揃って現れて「ボーナスパターン」を成立させる「キャラクタ」として用いる「ＡＬＬ　ＦＲＵＩＴＳ」に代えて、配列個数が多い所定の「キャラクタ」（すなわち、本願補正発明における、「第一シンボル」に対応するキャラクタ。）を用いることは、当業者が適宜に行う設計事項にすぎない。
　　　　　　　　　　　　　　　　　　　　　　　　　　　　　　　　　
  相違点(C)について
　引用発明２は、「周面に複数個の絵柄を有する複数個のリール」が「始動」した後、「停止ライン上」に「特定絵柄８（第７図（１））」が「停止」すると「特定絵柄検出手段」がこれを検出し、「特別ゲーム移行手段」が「特別ゲームへ移行」させて、「通常ゲーム」において用いたものと同じ「複数個のリール」を用いて「特別ゲーム」を行い、「全リール１ａ，１ｂ，１ｃを自動的に一斉始動させた後、一定時間経過後に全リール１ａ，１ｂ，１ｃを自動的に一斉停止させ」て、上記「特定絵柄８（第７図（１））」とは異なる「絵柄」の「組み合わせ」よりなる「第１当り（第７図（２））」を「停止ラインＬ上」に「成立させ」るスロットマシンである。
　　　　　　　　　　　　　　　　　　　　　　　　　　　　　　　　　
　 (C-1) 上記したように、引用発明２は、「特別ゲームへ移行」すると、「通常ゲーム」において用いたものと同じ「複数個のリール」を再度「始動させ」るものであり、前記「複数個のリール」は、各々の表示窓の背後で「絵柄」（シンボル）を移動表示するものであるから、引用発明２は相違点(C-1)に係る構成を備えている。
　そして、引用発明１に、引用発明２が備える上記した「特別ゲーム」に関する技術事項を適用し、同引用発明１において、「ボーナスパターン」が成立して本願補正発明における「特別入賞」に対応する状態となったときに、引用発明１が「副リール内の疑似リールのスクロール回転」によって続行していたゲームを、「主リール」内の「マトリクス状（複数行複数列）」に「配列」した「疑似リール６ａ〜６ｉ」において続行することは、当業者にとって格別困難なことではない。
　そうすると、引用発明１が実質的に備える「移動表示させる手段」は、「特別入賞」として「疑似リール６ａ〜６ｉ」を再度移動表示させることとなり、さらに、「相違点(A)について」に記載したように、引用発明１において、「キャラクタ（シンボル）列」を表示窓の背後で移動表示させることは、単なる設計の変更にすぎないことを併せると、相違点(C-1)に係る構成を得ることは当業者が容易に想到することができたものである。
　　　　　　　　　　　　　　　　　　　　　　　　　　　　　　　　　
　 (C-2) (C-1)に記載したように、引用発明１に、引用発明２が備える「特別ゲーム」に関する技術事項を適用し、同引用発明１において、「ボーナスパターン」が成立して本願補正発明における「特別入賞」に対応する状態となったときに、「キャラクタ（シンボル）列」を表示窓の背後で再度移動表示させることは当業者が容易に想到することができたものである。
　ここで、引用発明２における「特別ゲーム」において、揃って停止する「第１当り（第７図（２）に示す）」に係る「絵柄」は、「特別ゲーム」を成立させた「特定絵柄８（第７図（１））」に係る「絵柄」とは異なる種類の「絵柄」であることから、「特別ゲーム」に関する技術事項を引用発明１に適用して、「キャラクタ（シンボル）列」を再度移動表示させると、「ボーナスパターン」を成立させた「キャラクタ（シンボル）」とは異なる「キャラクタ（シンボル）」が全てに揃って現れるように「キャラクタ（シンボル）列を停止制御することとなる。
　ところで、「相違点(B)について」に記載したように、引用発明１は、「ボーナスパターン」を成立させた「キャラクタ（シンボル）」として配列個数が多い「キャラクタ」（すなわち、本願補正発明における「第一シンボル」に対応するキャラクタ。）を用いることを示唆するものであるから、「ボーナスパターン」の成立後に「キャラクタ（シンボル）列」を再度移動表示させる際には、「ボーナスパターン」を成立させた当該「キャラクタ（シンボル）」よりも配列個数の少ない別異の「キャラクタ（シンボル）」（すなわち、本願補正発明における「第二シンボル」に対応するキャラクタ。）が全てに揃って現れるように「キャラクタ（シンボル）」の列を停止制御することとなり、結果として相違点(C-2)に係る構成が得られることとなる。
                                                     　　　　　　　
　 (C-3) (C-2)に記載したように、引用発明１に、引用発明２が備える「特別ゲーム」に関する技術事項を適用し、同引用発明１において、「ボーナスパターン」を成立させた「キャラクタ（シンボル）」よりも配列個数の少ない別異の「キャラクタ（シンボル）」が全てに揃って現れるように「キャラクタ（シンボル）」の列を停止制御することは当業者にとって容易なことである。
　ところで、引用発明２における「特別ゲーム」は、「入賞となる全ての種類の絵柄配列を自動的に生成して、多数のコインを放出する」もので、本願補正発明における「大当たり入賞」に対応する状況を生起させるものであり、引用発明１に、引用発明２が備える「特別ゲーム」に関する技術事項を適用すると、同引用発明１における「遊技者にとって有利な状況」の内容は、実質的に「入賞」（すなわち、本願補正発明における「大当たり入賞」に対応するもの。）を表すこととなり、必然的に、相違点(C-3)に係る本願補正発明の発明特定事項が得られることとなる。
　　　　　　　　　　　　　　　　　　　　　　　　　　　　　　　　　
　そして、相違点(A)ないし(C)に係る発明特定事項を備えた本願補正発明の効果も、引用発明１並びに、引用発明２及び周知技術が本来奏する効果から当業者が予測し得る範囲内のものであって、格別顕著なものとはいえない。
　したがって、本願補正発明は、引用発明１並びに、引用発明２及び周知技術に基いて、当業者が容易に発明をすることができたものであるから、特許出願の際独立して特許を受けることができない。
　　　　　　　　　　　　　　　　　　　　　　　　　　　　　　　　　
【周知例】
周知例１：特開平１−２０９０８９号公報
　リール機構を構成する各リール１ａ〜１ｉに対応して、スロットマシン本体の正面パネル３に表示窓４ａ〜４ｉを形成したスロットマシンのリール機構。（第２頁右下欄第１２−１６行、第３頁左上欄第１６行−右上欄第９行、第１図、第２図）
　　　　　　　　　　　　　　　　　　　　　　　　　　　　　　　　　
周知例２：特開平６−３９０８５号公報
　表示パネル４に、３行３列のマトリクス状に配置された、計９個のリール表示窓５ａ〜５ｉを形成するとともに、表示窓５ａ〜５ｉを通して第１〜第９リール１７ａ〜１７ｉを観察可能としたスロットマシン。（段落【０００７】【０００８】、図１、図２、図３）
　　　　　　　　　　　　　　　　　　　　　　　　　　　　　　　　　
周知例３：特開平８−１０３８３号公報 　　　　　　　　　　　　　　　　ゲーム機本体２の正面パネルに、同一サイズの開口３を３行３列にマトリクス状に配列したシンボル表示窓５が設けられ、各々の開口３の奥には、外周に複数個複数種類のシンボルを配列した９個のリール３４ａ〜３４ｉを設けたスロットマシン。（段落【０００９】【００１５】、図１）
　　　　　　　　　　　　　　　　　　　　　　　　　　　　　　　　　
（４）むすび
　以上のとおり、本件補正は、平成１８年改正前の特許法第１７条の２第５項において準用する同法第１２６条第５項の規定に違反するものであり、特許法第１５９条第１項の規定において読み替えて準用する同法第５３条第１項の規定により却下されるべきものである。
　　　　　　　　　　　　　　　　　　　　　　　　　　　　　　　　　
３．本願発明について
　平成１６年１１月２６日付けの手続補正は上記のとおり却下されたので、本願の請求項１に係る発明（以下、「本願発明」という。）は、平成１６年８月５日付け手続補正書の特許請求の範囲の請求項１に記載された事項により特定される、以下のとおりのものである。
「複数行複数列にシンボルの表示窓を配列し、複数種類のシンボルを配列したシンボル列を前記表示窓の背後でそれぞれ移動表示し、シンボル列の移動表示が停止したときに各表示窓に現れているシンボルを予め設定された位置ごとに組み合わせて入賞の有無及び種類が決められる遊技機において、
　前記シンボル列の各々に配列されたシンボルのうちで配列個数が多い所定の第一シンボルが前記表示窓の全てに揃って現れたとき特別入賞として、各々の表示窓の背後でシンボル列を再度移動表示させ、前記第一シンボルよりも配列個数の少ない第二シンボルが前記表示窓の全てに現れるようにシンボル列の停止制御を行い、該第二シンボルが前記表示窓の全てに揃って停止したとき大当たり入賞とすることを特徴とする遊技機。 」
　　　　　　　　　　　　　　　　　　　　　　　　　　　　　　　　　
（１）引用発明
　原査定の拒絶の理由に引用された引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明における、「第一シンボルが前記表示窓の全てに揃って現れたか否かを判定する手段と、前記第一シンボルが該表示窓の全てに揃って現れたとき、」を「第一シンボルが前記表示窓の全てに揃って現れたとき」とより広義な概念で特定し、同様に、「シンボル列を再度移動表示させる手段と、」を「シンボル列を再度移動表示させ、」と、「前記シンボル列が再度移動表示されたとき、前記第一シンボルよりも配列個数の少ない第二シンボルが前記表示窓の全てに揃って現れるようにシンボル列を停止制御する手段と、」を「前記第一シンボルよりも配列個数の少ない第二シンボルが前記表示窓の全てに現れるようにシンボル列の停止制御を行い、」と、「前記第二シンボルが前記表示窓の全てに揃って停止したとき、大当たり入賞を発生させる手段と、」を「該第二シンボルが前記表示窓の全てに揃って停止したとき大当たり入賞とする」と、「を備えたことを特徴とする遊技機。」を「ことを特徴とする遊技機。」と、それぞれ、より広義な概念で特定するものである。
　そうすると、本願補正発明における発明特定事項を全て含み、さらに他の事項を付加したものに相当する本願補正発明が、前記「２．（３）」に記載したとおり、引用発明１並びに、引用発明２及び周知技術に基いて、当業者が容易に発明をすることができたものであるから、限定事項を省いてより広義な概念で特定される本願発明も、引用発明１並びに、引用発明２及び周知技術に基いて当業者が容易に発明をすることができたものである。
　　　　　　　　　　　　　　　　　　　　　　　　　　　　　　　　　
（３）むすび
　以上のとおり、本願発明は、引用発明１並びに、引用発明２及び周知技術に基づいて当業者が容易に発明をすることができたものであるから、特許法第２９条第２項の規定により特許を受けることができない。
　よって、本願の他の請求項について論じるまでもなく、結論のとおり審決する。